(57)【要約】【課題】安全性の高いプリント装置を提供する。【解決手段】プリント台上の布地にアイロンプリントペーパを載せてその上からヒータを押し当て加熱して、前記アイロンプリントペーパの絵柄等を前記布地に転写するプリント装置であって、前記ヒータは装置本体に対して出没可能に設けられ、前記プリント台の所定位置に前記装置本体を載せた時にのみ前記ヒータが当該装置本体から突出するとともに、前記プリント台から前記装置本体が離れた時およびプリント終了後に前記ヒータは前記装置本体に自動的に没入して被覆されるように構成されている。【選択図】図２
2005029217.tif 000002
【特許請求の範囲】
【請求項１】
プリント台上の布地にアイロンプリントペーパを載せてその上からヒータを押し当て加熱して、前記アイロンプリントペーパの絵柄等を前記布地に転写するプリント装置であって、前記ヒータは装置本体に対して出没可能に設けられ、前記プリント台の所定位置に前記装置本体を載せた時にのみ前記ヒータが当該装置本体から突出するとともに、前記プリント台から前記装置本体が離れた時およびプリント終了後に前記ヒータは前記装置本体に自動的に没入して被覆されるように構成されていることを特徴とするプリント装置。
【請求項２】
前記ヒータを被覆可能なヒータカバーを備え、前記ヒータカバーは、前記ヒータが前記装置本体から突出する際には被覆位置から退行するとともに、当該ヒータが当該装置本体に没入する際には被覆位置を取るように構成されていることを特徴とする請求項１に記載のプリント装置。
【請求項３】
プリント中に前記アイロンプリントペーパをなぞるように前記ヒータを動作させるケースを備え、プリント時には前記ケースの開口と前記装置本体の開口とが合致してそれら開口から前記ヒータが突出するように構成されるとともに、プリント終了後には前記ケースが自動的に動作して開口同士が不一致となり前記ヒータが被覆されるように構成されていることを特徴とする請求項１に記載のプリント装置。
【請求項４】
前記装置本体を傾斜させた際に、前記装置本体から突出していた前記ヒータが前記装置本体に没入するように構成されていることを特徴とする請求項１から３いずれか一に記載のプリント装置。
【発明の詳細な説明】
【技術分野】
【０００１】
本発明は、プリント装置に関する。
【背景技術】
【０００２】
従来、プリント装置として、布地にアイロンプリントペーパを載せてその上からヒータを押し当て加熱して、前記アイロンプリントペーパの絵柄等を前記布地に転写するプリント装置が知られている。
【特許文献１】特開２０００−２８０５６５号公報
【特許文献２】特開２００１−１８７４６７号公報
【特許文献３】特許第３０３０８１０号公報
【発明の開示】
【発明が解決しようとする課題】
【０００３】
いずれもプリント装置内に布を引き込んでプリントするものであってヒータが露出していないため、やけどの心配がないものであった。しかし、家庭用のプリント装置にあっては、装置の小型化を図る必要があり、プリント装置に布を引き込んでプリントすることは困難である。したがって、布をプリント装置外に置いてプリントする必要があるが、この場合にはヒータが露出するので、やけどの心配が生じる。
本発明は、安全性の高いプリント装置を提供する目的としている。
【課題を解決するための手段】
【０００４】
請求項１に記載のプリント装置は、プリント台上の布地にアイロンプリントペーパを載せてその上からヒータを押し当て加熱して、前記アイロンプリントペーパの絵柄等を前記布地に転写するプリント装置であって、前記ヒータは装置本体に対して出没可能に設けられ、前記プリント台の所定位置に前記装置本体を載せた時にのみ前記ヒータが当該装置本体から突出するとともに、前記プリント台から前記装置本体が離れた時およびプリント終了後に前記ヒータは前記装置本体に自動的に没入して被覆されるように構成されていることを特徴とする。
【０００５】
請求項２に記載のプリント装置は、請求項１に記載のプリント装置において、前記ヒータを被覆可能なヒータカバーを備え、前記ヒータカバーは、前記ヒータが前記装置本体から突出する際には被覆位置から退行するとともに、当該ヒータが当該装置本体に没入する際には被覆位置を取るように構成されていることを特徴とする。
【０００６】
請求項３に記載のプリント装置は、請求項１に記載のプリント装置において、プリント中に前記アイロンプリントペーパをなぞるように前記ヒータを動作させるケースを備え、プリント時には前記ケースの開口と前記装置本体の開口とが合致してそれら開口から前記ヒータが突出するように構成されるとともに、プリント終了後には前記ケースが自動的に動作して開口同士が不一致となり前記ヒータが被覆されるように構成されていることを特徴とする。
【０００７】
請求項４に記載のプリント装置は、請求項１から３いずれか一に記載のプリント装置において、前記装置本体を傾斜させた際に、前記装置本体から突出していた前記ヒータが前記装置本体に没入するように構成されていることを特徴とする。
【発明の効果】
【０００８】
請求項１記載のプリント装置によれば、プリント台から装置本体が離れているとヒータが装置本体に没入して被覆されるので、加熱されたヒータに人が誤って触れることがなくなることから、安全性の高いプリント装置が実現できる。
【０００９】
請求項２に記載のプリント装置によれば、プリント台から装置本体が離れているとヒータが装置本体に没入してヒータカバーによって被覆されるので、加熱されたヒータに人が誤って触れることがなくなることから、安全性の高いプリント装置が実現できる。
【００１０】
請求項３に記載のプリント装置によれば、プリント台から装置本体が離れているとヒータが装置本体に没入してケースによって被覆されるので、加熱されたヒータに人が誤って触れることがなくなることから、安全性の高いプリント装置が実現できる。
【００１１】
請求項４に記載のプリント装置によれば、装置本体が傾斜するとヒータが装置本体に没入して被覆されるので、より安全性が高まることになる。
【発明を実施するための最良の形態】
【００１２】
（第１の実施形態）
１．全体構成
図１には実施形態に係るプリント装置が示されている。このプリント装置１は装置本体２、プリント台３およびプリント枠４を備えている。装置本体２には電源スイッチＰおよびレバー６が設けられている。プリント台３は布地を支持するためのもので、上面には布当て部７が設けられている。プリント枠４はプリント台３の上に載せて使用されるもので、布当て部７に対応する部分が窓となっており、プリント台３に載せた際にちょうど布当て部７がその窓から露出するようになっている。
このプリント装置１を使用するにあたっては、電源スイッチＰをＯＮ側に操作した後、プリント台３の上に布地とアイロンプリントペーパを載せ、さらにその上からプリント枠４を載せ、これによってプリント台３とプリント枠４との間で布地およびアイロンプリントペーパを挟み込む。
すると、暫くして「プリントできます。」の音声表示がなされ、この状態でレバー６を下げるとヒータ１０が装置本体２の開口２ａから突出してプリントが開始される。そして、プリントが終わると、「プリントが終了しました。」の音声表示がなされ、レバー６が上昇する。これにより、アイロンプリントペーパの絵柄が布地に転写される。
以下、このプリント装置１の詳細を説明する。
【００１３】
２．詳細−機械的構成
（１）ヒータ１０について
図２に示すヒータ１０はアイロンプリントペーパを加熱するためのものである。このヒータ１０は円柱状のローラとなっており、両端の電極１０ａ，１０ｂ（符号１０ｂは図示せず）を通じて給電がされるように構成されている。なお、ヒータ１０は、装置本体２内に設置されるヒータケース１１内に納められている。
【００１４】
（２）ヒータケース１１について
図２に示すヒータケース１１は装置本体２内で水平方向に延在する軸１１ａを中心に揺動可能に構成されている。そして、このヒータケース１１は、装置本体２内に設置される揺動装置１２によって、前記軸１１ａを中心に強制的に揺動させられるように構成されている。
また、ヒータケース１１には、前記ヒータ１０を出没させるための開口１１ｂが形成されている。
【００１５】
（３）揺動装置１２について
図２に示す揺動装置１２は前記ヒータ１０を布地上で強制的に移動させるためのものである。揺動装置１２は、正逆回転モータＭ、歯車機構１４、円板１５およびリンク１６を備えてなる。
このうち歯車機構１４は、モータ軸に付設された歯車１４ａと、モータ軸と直交する方向に延在する軸に付設され前記歯車１４ａに噛合する歯車１４ｂと、歯車１４ｂと同軸に付設されて当該歯車１４ｂと一体的に回転する歯車１４ｃ（裏面に存在するため図示せず）と、歯車１４ｃの軸と平行な軸に付設され当該歯車１４ｃに噛合する歯車１４ｄと、歯車１４ｄと同軸に付設され当該歯車１４ｄと一体的に回転する歯車１４ｅと、円板１５の外周に付設され前記歯車１４ｅに噛合する歯車１４ｆとから構成されている。
また、リンク１６は、円板１５における外周部近傍とヒータケース１１に掛け渡されている。このリンク１６は、円板１５、ヒータケース１１、ヒータケース１１の軸１１ａと円板１５の軸との間の部分を他のリンクとする４節回転連鎖機構を構成している。
【００１６】
（４）出没装置１８について
図２に示す出没装置１８はヒータ１０を装置本体２に対して出没させるためのものである。出没装置１８は、レバー６、図３に示す上下動部材１９および連結・連結解除装置２３を備えてなる。
このうちレバー６は図２に示すように全体としてＬ字状を呈し、装置本体２内の軸６ａを中心に揺動可能に設けられている。このレバー６の大部分は装置本体２に納められ、他端が装置本体２から突出している。そして、その突出部分が握りを構成している。
上下動部材１９は、シャーシ１９ａ、シャーシ１９ｂおよびフレーム１９ｃを備えてなる。
このうちシャーシ１９ａはヒータ１０が固定的に取り付けられるもので、このシャーシ１９ａには上下方向に延在する長孔１９ａ−１が設けられ、この長孔１９ａ−１に挿通されるビス２０によって他のシャーシ１９ｂに取り付けられている。つまり、シャーシ１９ａは他のシャーシ１９ｂに対して上下動可能となっている。また、シャーシ１９ａと他のシャーシ１９ｂとの間には引きばね２１が掛けられ、シャーシ１９ａは他のシャーシ１９ｂに対して下方に向けて付勢されている。
他のシャーシ１９ｂはフレーム１９ｃの下端部に固定されている。フレーム１９ｃは図２に示すように上端部がヒータケース１１から突出している。そして、フレーム１９ｃが前記レバー６によって押し下げられることによって前記ヒータ１０が下降するように構成されている。
フレーム１９ｃにはヒータケース１１の固定部との間に引きばね２２が掛けられ、フレーム２２が上方に向けて付勢されている。
【００１７】
連結・連結解除装置２３は、図３および図４に示すように、モータＦ、巻掛伝動機構２５、軸動作機構２６、軸２７、および一対のレバーピンステイ２８，２８を備えてなる。
このうち巻掛伝動機構２５としてはベルト伝動機構が用いられている。
軸動作機構２６としては６節回転連鎖機構が用いられている。この６節回転連鎖機構にあっては、基端側のリンク２６ａに対してそれに対向するリンク２６ｄが接近および離反する方向に動作する。６節回転連鎖機構のリンク２６ａは巻掛伝導機構のプーリ２５ａの軸２５ａ−１に固定されている。また、リンク２６ｂとリンク２６ｃの連結部、リンク２６ｅとリンク２６ｆの連結部にはそれぞれ重り２９が取り付けられている。
軸２７は、回転可能、かつ軸線方向に動作可能となるように前記軸２５ａ−１の内側に嵌っている。軸２７の途中部分はリンク２６ｄに固定されている。その結果、リンク２６ａに対してリンク２６ｄが接近および離反する方向に動作すると、軸２７が自身の軸線方向に動作する。また、軸２７には円錐台状のカム２７ａが取り付けられている。この場合、カム２７ａはプーリ側が狭窄するような向きで軸２７に固定して取り付けられている。なお、軸２７は図示しないばねによってカム３０がプーリ２５ａから離反する方向に付勢されている。
一対のレバーピンステイ２８，２８は、互いに離れた位置に存する軸２８ａ，２８ａを中心に揺動可能となっているとともに、自由端側が引きばね２９によって当該自由端側が互いに接近するように連結されている。この一対のレバーピンステイ２８，２８の間には前記軸２７が挿通されている。そして、プーリ２５ａに接近する方向に軸２７が移動した際に、カム２７ａによって一対のレバーピンステイ２８，２８が押し広げられるように構成されている。また、一対のレバーピンステイ２８，２８の自由端外側にはピン２８ｂ，２８ｂがそれぞれ付設されている。そして、一対のレバーピンステイ２８，２８が押し広げられた際に、ピン２８ｂ，２８ｂがフレーム１９ｃの２つの孔１９ｃ−１から突出し、この状態でレバー６を押し下げると、レバー６がピン２８ｂ，２８ｂに上方から当接してフレーム１９ｃと連結されるようになっている。
【００１８】
（５）ロック装置３０について
ロック装置３０はレバー６を下降位置に保持するためのものである。このロック装置３０は、図５（ａ），（ｂ）に示すように、フレーム１９ｃに付設された突子１９ｃ−３と、軸３１ａを中心に揺動可能なロック部材３１とによって構成されている。ロック部材３１の自由端には、レバー６が下降状態にあるときに、レバー６の孔（図示せず）に入り込む爪３１ｂが付設されている。また、ロック部材３１の内面には円錐台状のカム３２が付設されている。なお、ロック部材３１は図示しないばねによってフレーム１９ｃに接近する方向に付勢されている。
このロック装置３０は、フレーム１９ｃが上昇位置にあるときにはカム３２の頂面に突子１９ｃ−３が当接している状態にある（同図（ｂ））。つまり、この状態ではロック部材３１の爪３１ｂはレバー６からは離れた位置に存在している。そして、レバー６が下降してフレーム１９ｃが下降を始めると、突子１９ｃ−３はカム３２の頂面から脱して斜面をなぞる。それに伴って、爪３１ｂがレバー６側に移動し、ついには爪３１ｂがレバー６の図示しない孔に入り込む（同図（ａ））。この状態がレバー６のロック状態である。この場合、レバー６とフレーム１９ｃが連結状態にあると、フレーム１９ｃもロックされる。そして、フレーム１９ｃもロックされている状態で前記モータＦが停止されると、一対のレバーピンステイ２８，２８からカム２７ａが逃げ、その一対のレバーピンステイ２８，２８の自由端側が引きばね２９によって互いに接近する方向に動作し、ピン２８ｂ，２８ｂがフレーム１９ｃの２つの孔１９ｃ−１から没し、レバー６とフレーム１９ｃの連結が解除され、レバー６に先だってフレーム１９ｃが上昇する。さらに、フレーム１９ｃが上昇すると、突子１９ｃ−３はカム３２の斜面をなぞり頂面に至る。これにより、爪３１ｂがレバー６の図示しない孔から脱し、レバー６が図示しないばねによって上昇する。
【００１９】
（６）ヒータカバー３４について
図２に示すヒータカバー３４はヒータ１０の下側全体を被覆するものである。ヒータカバー３４はヒータ１０の下側全体を被覆できるようにＵ字状を呈し、ヒータケース１１に固定された軸３４ａを中心に揺動可能に構成されている。
【００２０】
ここで軸３４ａについて説明すれば、この軸３４ａはシャーシ１９ａ，１９ｂに形成された長孔１９ａ−２，１９ｂ−２（図３参照）に挿通されている。また、このヒータカバー３４の基端側には操作アーム３４ｂが付設され、この操作アーム３４ｂに付設されたピン３４ｂ−１は、フレーム１９ｃに形成されたカム溝１９ｃ−４に入り込んでいる。そして、フレーム１９ｃが下降する際には、ヒータ１０を被覆していたヒータカバー３４がヒータ１０の下側から退行し、フレーム１９ｃが上昇する際に、ヒータカバー３４がヒータ１０を下側から被覆するように構成されている。
【００２１】
（７）スピーカ３７について
図２に示すスピーカ３７は装置本体２内のヒータケース１１の外側に設置されている。
【００２２】
３．詳細−電気的構成
（１）各種スイッチ類
図６にはプリント装置１の電気的構成が示されている。符号２０は制御装置であり、リードスイッチＭＡ，ＭＢ、センタ用リーフスイッチＲＣ、下位置用リーフスイッチＲＤ、スタート用リーフスイッチＲＳ、サーモセンサＳＳ、電源スイッチＰおよび傾斜センサＰＳが入力側に接続されている。まず、これらスイッチ類について説明する。
【００２３】
1)リードスイッチＭＡ，ＭＢ
図２にも示すリードスイッチＭＡ，ＭＢは、プリント台３に設けられたマグネット３６，３６と共にマグネットスイッチを構成している。リードスイッチＭＡ，ＭＢは、プリント台３上の正規位置に装置本体２が設置された時にのみＯＮとなる。リードスイッチＭＡ，ＭＢがＯＮの時にはモータＦが作動可能な状態となる。一方、リードスイッチＭＡ，ＭＢは、プリント台３上の正規位置から装置本体２が離れた時にはＯＦＦとなる。リードスイッチＭＡ，ＭＢがＯＦＦの時にはモータＦが停止状態となる。
【００２４】
2)センタ用リーフスイッチＲＣ
図７にも示すセンタ用リーフスイッチＲＣは円板１２ｃの回転状態からヒータケース１１のセンタ停止位置を間接的に検知するものである。このセンタ用リーフスイッチＲＣは図７では円板１５の外周近くに配置されているが、実際には円板１５の裏側に設置され、円板１５の裏側に設けられたカム（図示せず）によってヒータケース１１のセンタ停止位置を検知するようになっている。
【００２５】
3)下位置用リーフスイッチＲＤ
図７にも示す下位置用リーフスイッチＲＤはレバー６が所定の位置まで下降したかどうかを検知するものである。この下位置用リーフスイッチＲＤは、スイッチレバー３６へのフレーム１９ｃの当接によってレバー６の下降位置を検知する。下位置用リーフスイッチＲＤによってレバー６が所定位置まで下降したことが検知されると、正逆回転モータＭが作動してヒータケース１１が揺動させられる。
【００２６】
4)スタート用リーフスイッチＲＳ
図７にも示すスタート用リーフスイッチＲＳはレバー６の下降の開始を検知するものである。このスタート用リーフスイッチＲＳはレバー６によって下降の開始が検知されると、モータＦが作動させられてレバー６とフレーム１９ｃが係合可能な状態となる。
【００２７】
5)サーモセンサＳＳ
図３にも示すサーモセンサＳＳはヒータの温度を検知するものである。このサーモセンサＳＳはフレーム１９ｃの、ヒータ１０近くに設けられる。
【００２８】
6)電源スイッチＰ
図１にも示す電源スイッチＰは電源を投入するためのものである。
【００２９】
7)傾斜センサＰＳ
図２にも示す傾斜センサＰＳは装置本体２の傾斜を検知するものである。
【００３０】
（２）プリント装置１の動作
プリント装置１の動作を図８に示すフローチャートに基づいて説明する。
1)通常のプリント
ＡＣアダプタをコンセントに差す（ステップＳ１）。すると、センタ用リーフスイッチＲＣによってヒータケース１１がセンタ位置にあるかどうかが検知され、センタ位置ならばヒータケース１１が正逆転モータＭによって動かされ、センタ位置からずらされる（ステップＳ２）。つまり、ヒータケース１１がセンタ位置の場合には、ヒータ１０がＯＮ状態なので、ヒータケース１１がセンタ位置からずらされてヒータ１０がＯＦＦ状態になる。
【００３１】
この状態で電源スイッチＰを押す（ステップＳ３）。すると、「電源が入りました。」という音声表示がなされ、ヒータケース１１がセンタ位置まで動かされてヒータ１０がＯＮとなり、ＬＥＤ１（赤色）が点灯する（ステップＳ４）。この状態でサーモセンサＳＳがヒータ１０が７５℃となったことを検知すると、ＬＥＤ１（赤色）の点灯からＬＥＤ２（緑色）の点灯に変わるとともに、「準備ができました。」の音声表示がなされる（ステップＳ５）。この状態がプリント待機状態である。プリント待機中はヒータケース１１がセンタ位置に５秒留まるとともにセンタ位置から外れて３秒留まるといった動作が繰り返される（ステップＳ６）。この状態ではモータＦが作動し、レバー６と上下動部材１９との連結が可能な状態となる。次いで、プリント台３上に布およびアイロンプリントペーパを載せ、その上からプリント枠４と装置本体２を載せ、レバー６を押し下げる。すると、上下動部材１９を介してヒータ１０が装置本体２から突出し、ヒータケース１１の揺動により装置本体２の開口２ａ内で動作（プリント動作）を行うとともに、「プリント中です。」の音声表示がなされる。プリント動作は約１分間続けられる（ステップＳ７）。なお、プリント台３上に装置本体２を載せたことをリードスイッチＭＡ，ＭＢで検知した場合のみ、モータＦが作動し、レバー６と上下動部材１９との連結が可能な状態とすることが好ましい。
【００３２】
以上のようにしてプリントが終了すると、モータＦが停止され、上下動部材１９とレバー６が上昇し、「プリントが終了しました。」の音声表示がなされる（ステップＳ８）。
【００３３】
2)プリント中止
プリント中にプリント台３から装置本体２を離すと、「プリントを中止します。」の音声表示が行われ、レバー６が上昇する。
【００３４】
3)プリント中に電源供給を遮断した場合
プリント中にＡＣアダプタをコンセントから抜いたり、装置本体から電源プラグを抜くと、レバー６が上昇して電源がＯＦＦになる。
【００３５】
4)電源ボタンがＯＮの状態で再度電源ボタンを押した場合
「電源ボタンを切ります。」の音声表示がなされ、電源がＯＦＦになる。
【００３６】
5)装置本体を横に倒した場合
「電源ボタンを切ります。」の音声表示がなされ、電源がＯＦＦになる。
【００３７】
（第２の実施形態）
１．全体構成
図９には実施形態に係るプリント装置が示されている。このプリント装置５１は装置本体５２、プリント台３およびプリント枠４を備えている。装置本体５２には電源スイッチＰおよびスタートスイッチ５５が設けられている。プリント台３は布地を支持するためのもので、上面には布当て部７が設けられている。プリント枠４はプリント台３の上に載せて使用されるもので、布当て部７に対応する部分が窓となっており、プリント台３に載せた際にちょうど布当て部７がその窓から露出するようになっている。
このプリント装置５１を使用するにあたっては、プリント台３の上に布地とアイロンプリントペーパを載せ、さらにその上からプリント枠４を載せ、これによってプリント台３とプリント枠４との間で布地およびアイロンプリントペーパを挟み込む。
暫くして「プリントできます。」の音声表示がなされ、この状態でスタートボタン５５を押すとヒータ６０が装置本体５２の開口５２ａから突出してプリントが開始される。そして、プリントが終わると、「プリントが終了しました。」の音声表示がなされる。これにより、アイロンプリントペーパの絵柄が布地に転写される。
以下、このプリント装置５１の詳細を説明する。
【００３８】
２．詳細
（１）ヒータ６０について
図１０に示すヒータ６０はアイロンプリントペーパを加熱するためのものである。このヒータ６０は円柱状のローラとなっており、両端の電極６０ａ，６０ｂ（符号６０ｂは図示せず）を通じて給電がされるように構成されている。なお、ヒータ６０は、装置本体５２内に設置されるヒータケース６１内に納められている。
【００３９】
（２）ヒータケース６１について
図１０に示すヒータケース６１は装置本体５２内で水平方向に延在する軸６１ａを中心に揺動可能に構成されている。そして、このヒータケース６１は、装置本体５２内に設置される揺動装置６２によって、前記軸６１ａを中心に強制的に揺動させられるように構成されている。
また、ヒータケース６１には、前記ヒータ６１を出没させるための開口６１ｂが形成されている。
【００４０】
（３）揺動装置６２について
図１０に示す揺動装置６２は前記ヒータ６０を布地上で強制的に移動させるためのものである。揺動装置６２は、正逆回転モータＭ、歯車機構６４および円板６５を備えてなる。そして、正逆回転モータＭの回転動力で歯車機構６４を介して円板６５を回転するように構成されている。また、円板６５には前記ヒータケース６１が固定されている。
【００４１】
（４）出没装置６３について
図１０に示す出没装置６３はヒータ６０を装置本体５２に対して出没させるためのものである。出没装置６３は揺動部材６３ａおよびカム機構６３ｂを備えてなる。
このうち揺動部材６３ａはＬ字状を呈しており、一端の軸６３ａ−１を中心に揺動可能に構成されている。揺動部材６３ａの一端と、ヒータケース６１内における、前記軸６１ａ近傍のピンとの間には引きばね６４が掛けられ、揺動部材６３ａはヒータ６０がヒータケース６１の開口６１ｂから突出する方向に付勢されている。同図において６５はストッパを示し、このストッパ６５はヒータ６０の突出量を規制している。
カム機構６３ｂは、装置本体５２に固定された原節６３ｂ−１と、揺動部材６３ａに固定された従動節６３ｂ−２とから構成されている。そして、ヒータケース６１がセンタから所定方向に揺動した際に従動節６３ｂ−２が原節６３ａ−１をならい、揺動部材６３ａはヒータ６０が装置本体５２の開口５２ａから没入する方向に動作するように構成されている。
【００４２】
（５）スピーカ６９について
図１０に示すスピーカ６９は装置本体５２内のヒータケース６１の外側に設置されている。
【００４３】
（６）その他
図示はしないが、プリント装置５１には前記プリント装置１と同様なリードスイッチＭＡ，ＭＢが設けられ、このリードスイッチＭＡ，ＭＢは、プリント台３に設けられたマグネットと共にマグネットスイッチを構成している。そして、このリードスイッチＭＡ，ＭＢは、プリント台３上の正規位置に装置本体５２が設置された時にのみＯＮとなる。リードスイッチＭＡ，ＭＢがＯＮの時にはモータＭが作動可能な状態となる。一方、リードスイッチＭＡ，ＭＢは、プリント台３上の正規位置から装置本体５２が離れた時にはＯＦＦとなる。リードスイッチＭＡ，ＭＢがＯＦＦの時にはモータＭが停止状態となる。
【００４４】
３．プリント装置５１の動作
ＡＣアダプタをコンセントに差し込むと電源が供給され、ヒータ６０がセンタ外にあるかどうかが検出され、センタ位置にあるときにはヒータ６０がセンタ位置から外れるようにヒータケース６１が揺動する。この状態がヒータケース６１の初期状態である（図１１参照）。
【００４５】
この状態で、電源スイッチＰをＯＮすると、「電源が入りました。」の音声表示がなされ、ヒータ６０がＯＮとなる。
【００４６】
ヒータ６０がＯＮすると、ヒータ６０が７５℃となったかどうか監視され、７５℃に至るまで暖められる。７５℃に至ったら、「準備ができました。」の音声表示がなされ、ＬＥＤが赤色から緑色に変化する。
【００４７】
この状態が待機状態であり、待機状態ではヒータ６０がＯＮ，ＯＦＦを繰り返しヒータ６０の温度調節が行われる。
【００４８】
この待機状態の時に布、アイロンプリントシートをセットし、スタートボタン５５を押すと、ヒータケース６１が揺動し、カム機構６３ｂによって揺動部材６３ａが動作し、ヒータ６０が装置本体５２から突出し、ヒータケース６１の揺動により装置本体５２の開口５２ａ内で動作（プリント動作）を行うとともに、「プリント中です。」の音声表示がなされる。プリント動作は約１分間続けられる。
【００４９】
以上のようにしてプリントが終了すると、モータＭが停止し、レバー６が上昇し、「プリントが終了しました。」の音声表示がされる。そして、プリントが終了すると、ヒータケース６１が初期状態に戻る。
【００５０】
（本発明の変形例）
例えば、第２の実施形態のプリント装置５１において、途中で電源の供給ができなくなった場合、ヒータ６０が露出したままとなる危険性があるので、その場合には補助電源を使用してヒータ６０が被覆される位置までヒータケース６１を動作させるようにしてもよい。
【図面の簡単な説明】
【００５１】
【図１】第１の実施形態に係るプリント装置の外観を示す斜視図である。
【図２】図１のプリント装置の装置本体の内部構造を示す図である。
【図３】図１のプリント装置の出没機構の一部等を示す斜視図である。
【図４】図１のプリント装置の連結・連結解除装置の構成を示す図である。
【図５】図１のプリント装置のロック装置の構成を示す図である。
【図６】図１のプリント装置の電気的構成を示すブロック図である。
【図７】図１のプリント装置の装置本体の内部構造を示す図である。
【図８】図１のプリント装置の動作フローを示す図である。
【図９】第２の実施形態に係るプリント装置の外観を示す斜視図である。
【図１０】図９のプリント装置の装置本体の内部構造を示す図である。
【図１１】図９のプリント装置の装置本体の内部構造を示す図である。
【符号の説明】
【００５２】
１      プリント装置
２      装置本体
３      プリント台
４      プリント枠
１０    ヒータ
１１    ヒータケース
３４    ヒータカバー
５１    プリント装置
５２    装置本体
６０    ヒータ
【図１】
2005029217.tif 000003
【図２】
2005029217.tif 000004
【図３】
2005029217.tif 000005
【図４】
2005029217.tif 000006
【図５】
2005029217.tif 000007
【図６】
2005029217.tif 000008
【図７】
2005029217.tif 000009
【図８】
2005029217.tif 000010
【図９】
2005029217.tif 000011
【図１０】
2005029217.tif 000012
【図１１】
2005029217.tif 000013